(57)【要約】【課題】  右手または左手のどちらか一方で保持した際のホールド性および操作性を向上させることができる携帯端末を提供する。【解決手段】  表面にキー操作部５が設けられた端末本体１と、キー操作部５に対応する端末本体１の裏面に選択的に装着される複数の電池蓋と、を備え、複数の電池蓋は、端末本体１に選択されて装着された際に右利き用の形状をなす第１の電池蓋１０と、端末本体１に選択されて装着された際に左利き用の形状をなす第２の電池蓋１１と、を有している。従って、右利き用の形状をなす第１の電池蓋１０を端末本体１に装着することにより、右利き用に特化させることができる。また、左利き用の形状をなす第２の電池蓋１１を端末本体１に装着することにより、左利き用に特化させることができる。このため、右手または左手のいずれか一方で端末本体１を保持した際におけるホールド性および操作性を向上させることができる。【選択図】        図２
2019193157.tif 000002
【特許請求の範囲】
【請求項１】
表面に操作部が設けられた端末本体と、
前記操作部に対応する前記端末本体の裏面に選択的に装着される複数の電池蓋と、
を備え、
前記複数の電池蓋は、前記端末本体に選択されて装着された際に右利き用の形状をなす第１の電池蓋と、前記端末本体に選択されて装着された際に左利き用の形状をなす第２の電池蓋と、を有していることを特徴とする携帯端末。
【請求項２】
請求項１に記載の携帯端末において、前記第１の電池蓋と前記第２の電池蓋とは、ユーザが前記端末本体を保持手で保持した際に、前記保持手の指先が引っ掛かる指掛部の形状が異なっていることを特徴とする携帯端末。
【請求項３】
請求項２に記載の携帯端末において、前記端末本体に装着された前記第１の電池蓋は、右手の母指を前記操作部上に配置させて、右手の他の指を前記第１の電池蓋に配置させた状態で、前記端末本体を右手で保持する把握態様において、右手の前記他の指が引っ掛かる前記指掛部が、右手の前記他の指の付け根側から右手の前記他の指の指先側に亘って前記端末本体の前後方向における前側に向けて指先上がりに傾斜する形状に形成されており、
前記端末本体に装着された前記第２の電池蓋は、左手の母指を前記操作部上に配置させて、左手の他の指を前記第２の電池蓋に配置させた状態で、前記端末本体を左手で保持する把握態様において、左手の前記他の指が引っ掛かる前記指掛部が、左手の前記他の指の付け根側から左手の前記他の指の指先側に亘って前記端末本体の前後方向における前側に向けて指先上がりに傾斜する形状に形成されていることを特徴とする携帯端末。
【請求項４】
請求項１〜請求項３のいずかれに記載の携帯端末において、前記第１の電池蓋と前記第２の電池蓋とは、ユーザが前記端末本体を保持手で保持した際に、前記保持手の指をフィットさせる膨らみ部の形状が異なっていることを特徴とする携帯端末。
【請求項５】
請求項４に記載の携帯端末において、前記端末本体に装着された前記第１の電池蓋は、右手の母指を前記操作部上に配置させて、右手の他の指を前記第１の電池蓋に配置させた状態で、前記端末本体を右手で保持する把握態様において、右手の前記他の指の指先側の膨らみ部の曲率が、右手の前記他の指の付け根側の膨らみ部の曲率よりも大きい形状に形成されており、
前記端末本体に装着された前記第２の電池蓋は、左手の母指を前記操作部上に配置させて、左手の他の指を前記第２の電池蓋に配置させた状態で、前記端末本体を左手で保持する把握態様において、左手の前記他の指の指先側の膨らみ部の曲率が、左手の前記他の指の付け根側の膨らみ部の曲率よりも大きい形状に形成されていることを特徴とする携帯端末。
【請求項６】
請求項１〜請求項５のいずかれに記載の携帯端末において、前記第１の電池蓋と前記第２の電池蓋とは、ユーザが前記端末本体を保持手で保持した際に、前記保持手の指の滑りを防ぐ滑止め部の領域が異なっていることを特徴とする携帯端末。
【請求項７】
請求項６に記載の携帯端末において、前記端末本体に装着された前記第１の電池蓋の前記滑止め部は、右手の母指を前記操作部上に配置させて、右手の他の指を前記第１の電池蓋に配置させた状態で、前記端末本体を右手で保持する把握態様において、右手の前記他の指の指先側の領域に設けられており、
前記端末本体に装着された前記第２の電池蓋の前記滑止め部は、左手の母指を前記操作部上に配置させて、左手の他の指を前記第２の電池蓋に配置させた状態で、前記端末本体を左手で保持する把握態様において、左手の前記他の指の指先側の領域に設けられていることを特徴とする携帯端末。
【発明の詳細な説明】
【技術分野】
【０００１】
この発明は、携帯電話や携帯情報処理装置などの携帯端末に関する。
【背景技術】
【０００２】
一般に、手に持って使用する携帯端末においては、操作性を向上させるために様々な形状を有するものが知られている。例えば、このような携帯端末においては、特許文献１に記載されているように、端末本体を片手で保持した際に、その保持手の示指が載置される指載置部を端末本体の裏面に設けることで、示指の位置を安定させて操作性を向上させる構造のものが知られている。
【先行技術文献】
【特許文献】
【０００３】
【特許文献１】特開２００８−２７７８７４号公報
【発明の概要】
【発明が解決しようとする課題】
【０００４】
この種の携帯端末では、右手または左手のどちらも保持手として使用することができるように、端末本体のグリップ部が左右対称な形状になっている。しかしながら、このような携帯端末においては、ユーザが主に利き手を保持手とすることが多いため、右手または左手での使用に特化した形状にすることが望まれている。
【０００５】
この発明が解決しようとする課題は、右手または左手のどちらか一方で保持した際のホールド性および操作性を向上させることができる携帯端末を提供することである。
【課題を解決するための手段】
【０００６】
この発明は、表面に操作部が設けられた端末本体と、前記操作部に対応する前記端末本体の裏面に選択的に装着される複数の電池蓋と、を備え、前記複数の電池蓋は、前記端末本体に選択されて装着された際に右利き用の形状をなす第１の電池蓋と、前記端末本体に選択されて装着された際に左利き用の形状をなす第２の電池蓋と、を有していることを特徴とする携帯端末である。
【発明の効果】
【０００７】
この発明によれば、右手または左手のどちらか一方で端末本体を保持した際におけるホールド性および操作性を向上させることができる。
【図面の簡単な説明】
【０００８】
【図１】この発明を適用した携帯端末の一実施形態を示した正面図である。
【図２】図１に示された携帯端末の裏面図である。
【図３】図１に示された携帯端末の側面を示し、（ａ）は左側面図、（ｂ）は右側面図である。
【図４】図１に示された携帯端末を右手で保持した状態を示し、（ａ）はその正面図、（ｂ）はその裏面図である。
【図５】図１に示された携帯端末を左手で保持した状態を示し、（ａ）はその正面図、（ｂ）はその裏面図である。
【図６】図４に示された携帯端末における右利き用の第１の電池蓋を示し、（ａ）はその裏面図、（ｂ）はその左側面図、（ｃ）はその右側面図である。
【図７】図６に示された右利き用の第１の電池蓋を示し、（ａ）は第１の電池蓋を上辺側から見た側面図、（ｂ）は第１の電池蓋に設けられた滑止め部の領域を示した裏面図である。
【図８】図５に示された携帯端末における左利き用の第２の電池蓋を示し、（ａ）はその裏面図、（ｂ）はその左側面図、（ｃ）はその右側面図である。
【図９】図８に示された左利き用の第２の電池蓋を示し、（ａ）は第２の電池蓋を上辺側から見た側面図、（ｃ）は第２の電池蓋に設けられた滑止め部の領域を示した裏面図である。
【発明を実施するための形態】
【０００９】
以下、図１〜図９を参照して、この発明を適用した携帯端末の一実施形態について説明する。
この携帯端末は、図１〜図３に示すように、端末本体１を備えている。この端末本体１は、縦方向（図１では上下方向）に長い縦長のほぼ長方形の箱状に形成されている。
【００１０】
この端末本体１は、図１〜図３に示すように、上辺側のほぼ半分が幅広部１ａに形成され、下辺側のほぼ半分が幅狭部１ｂに形成され、全体がほぼ羽子板形状に近いほぼ長方形の箱状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも少し長く（広く）形成されている。
【００１１】
また、この端末本体１は、図１〜図３に示すように、上部ケース２と下部ケース３とを有し、これらの内部にモジュール（図示せず）が組み込まれるように構成されている。上部ケース２は、図１および図３に示すように、端末本体１と同様、上辺側の幅広部と下辺側の幅狭部とを有するほぼ羽子板形状に近いほぼ長方形の板状に形成され、その外周部が下部ケース３に取り付けられるように構成されている。
【００１２】
この場合、上部ケース２の上面である表面における上辺側の幅広部には、図１に示すように、ほぼ全域に亘って表示部４が設けられている。また、上部ケース２の表面における下辺側の幅狭部には、ほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１３】
この表示部４は、図１に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、上辺側の中間部に上面トリガーキー５ａが配置されている。
【００１４】
下部ケース３は、図２および図３に示すように、上部ケース２と同様、上辺側の幅広部と下辺側の幅狭部とを有するほぼ羽子板形状に近いほぼ長方形の箱状に形成され、その外周の側面部が上部ケース２に取り付けられるように構成されている。この下部ケース３の上辺部側に位置する幅広部の下面である裏面には、光学読取部６が設けられている。
【００１５】
この光学読取部６は、図２および図３に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１６】
これにより、光学読取部６は、図２および図３に示すように、レーザ読取部がレーザ光線を読取突起部６ａの第１窓部６ｂから端末本体１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１７】
また、端末本体１の縦方向（長手方向）におけるほぼ中間部、つまり幅広部１ａと幅狭部１ｂとの境界部側に位置する幅広部１ａの両側部には、図３（ａ）および図３（ｂ）に示すように、側面トリガーキー８がそれぞれ設けられている。これら側面トリガーキー８およびキー操作部５の上面トリガーキー５ａは、光学読取部６による読取動作を実行させるためのものである。
【００１８】
さらに、この端末本体１の下辺部側に位置する幅狭部１ｂには、図２および図３に示すように、後述する第１、第２の電池蓋１０、１１のいずれかで覆われる電池収納部１２がキー操作部５の裏面側に対応して設けられている。この電池収納部１２は、充電池（図示せず）を収納するものであり、端末本体１の幅狭部１ｂの表面に設けられたキー操作部５の裏面側に対応した状態で、端末本体１の幅狭部１ｂの内部に設けられ、端末本体１の裏面に設けられた電池挿脱口１２ａによって裏面側に開放されている。
【００１９】
この場合、電池収納部１２と光学読取部６との間に位置する下部ケース３の裏面には、図２および図３に示すように、電池収納部１２を開閉可能に覆う第１、第２の電池蓋１０、１１のいずれかを下部ケース３に着脱可能に取り付けるための一対の取付レバー１３が設けられている。
【００２０】
すなわち、一対の取付レバー１３は、図２および図３に示すように、端末本体１の両側部に設けられた側面トリガーキー８の近傍に設けられている。これら一対の取付レバー１３は、これらを回転操作させて、第１、第２の電池蓋１０、１１のいずれかの上辺部の縁部を下部ケース３の裏面に係脱可能に係止させるように構成されている。
【００２１】
これにより、第１、第２の電池蓋１０、１１それぞれは、図２および図３に示すように、電池収納部１２の電池挿脱口１２ａを開閉可能に覆った状態で、上辺部の縁部が一対の取付レバー１３によって係止されることにより、下部ケース３の幅狭部１ｂの裏面に取り付けられるように構成されている。
【００２２】
また、第１、第２の電池蓋１０、１１それぞれは、図２および図３に示すように、その下辺部側の端部に支点突起部１０ａ、１１ａが設けられ、この支点突起部１０ａ、１１ａが電池収納部１２内の下辺部に係止され、この状態で支点突起部１０ａ、１１ａを支点として回転することにより、電池収納部１２を開閉するように構成されている。
【００２３】
ところで、端末本体１の下辺部側に位置する幅狭部１ｂには、図１〜図５に示すように、端末本体１の表面と、その反対側に位置する裏面とに跨ってユーザの一方の手により把握可能なグリップ部１４が設けられている。すなわち、このグリップ部１４は、端末本体１の幅狭部１ｂである上部ケース２の幅狭部と、下部ケース３の幅狭部と、下部ケース３に取り付けられた第１、第２の電池蓋１０、１１のいずれかと、で構成されている。
【００２４】
このグリップ部１４は、図４および図５に示すように、ユーザの保持手の母指を端末本体１の表面のキー操作部５に被せ、端末本体１の脇側から延ばした保持手の他の指で端末本体１の裏面を支えるような把握態様で保持した際に、保持手の指の付け根から指先までが第１、第２の電池蓋１０、１１のいずれかに配置されるように構成されている。
【００２５】
この場合、第１の電池蓋１０と第２の電池蓋１１とのそれぞれは、図４〜図９に示すように、全体が裏面側に向けて湾曲状に膨らむ形状に形成されている。また、これら第１の電池蓋１０と第２の電池蓋１１とは、左右の形状が異なっていることにより、右手または左手のいずれかの利き手に特化した形状に形成されている。
【００２６】
すなわち、第１の電池蓋１０は、図４（ａ）および図４（ｂ）に示すように、端末本体１の電池収納部１２に装着された際に、右利き用の形状をなすように形成されている。また、第２の電池蓋１１は、図５（ａ）および図５（ｂ）に示すように、端末本体１の電池収納部１２に装着された際に、左利き用の形状をなすように形成されている。
【００２７】
この場合、第１の電池蓋１０と第２の電池蓋１１とは、図６および図８に示すように、ユーザが端末本体１のグリップ部１４を保持手で保持した際に、保持手の指先が引っ掛かる指掛部１５、１６の形状が異なっている。つまり、第１の電池蓋１０と第２の電池蓋１１は、指掛部１５、１６の形状が左右反対の形状に形成されている。
【００２８】
すなわち、第１の電池蓋１０は、図６（ａ）〜図６（ｃ）に示すように、右手の母指ＲＦ１を端末本体１の表面のキー操作部５上に配置させて、右手の他の指ＲＦ２〜ＲＦ５を第１の電池蓋１０裏面に配置させた状態で、端末本体１のグリップ部１４を右手で保持する把握態様において、右手の示指ＲＦ２〜小指ＲＦ５が引っ掛かる指掛部１５が、右手の示指ＲＦ２〜小指ＲＦ５の付け根側から右手の示指ＲＦ２〜小指ＲＦ５の指先側に向けて緩やかに指先上がりに傾斜する形状に形成されている。
【００２９】
言い換えれば、この第１の電池蓋１０は、図６（ａ）〜図６（ｃ）に示すように、上述した把握態様において、右手の示指ＲＦ２〜小指ＲＦ５が引っ掛かる指掛部１５が、右手の示指ＲＦ２〜小指ＲＦ５の付け根側（図６（ａ）では左側）から右手の示指ＲＦ２〜小指ＲＦ５の指先側（図６（ａ）では右側）に亘って端末本体１の前後方向における前側、つまり第１の電池蓋１０の上辺側に向けて緩やかに指先上がり、つまり右上がりに傾斜する形状に形成されている。
【００３０】
この場合、第１の電池蓋１０の指掛部１５は、図６（ａ）〜図６（ｃ）に示すように、右手の示指ＲＦ２と右手の中指ＲＦ３との間に位置する峰部１５ａと、この峰部１５ａの上辺側に設けられて右手の示指ＲＦ２の腹が配置される傾斜部１５ｂと、峰部１５ａの下辺側に設けられて右手の中指ＲＦ３の腹が配置される溝部１５ｃと、右手の薬指ＲＦ４および小指ＲＦ５の各腹が配置される指載部１５ｄと、を備えている。なお、峰部１５ａには、第１の電池蓋１０を備える裏面を下にして端末本体１が机等の載置面上に載置された際に、端末本体１が転がってしまうことを防ぐための載置用突起１９が設けられている。
【００３１】
この第１の電池蓋１０の指掛部１５は、図６（ａ）〜図６（ｃ）に示すように、右手の母指ＲＦ１を端末本体１の表面のキー操作部５に被せ、右手の示指ＲＦ２〜小指ＲＦ５を第１の電池蓋１０の裏面に押し当てた際に、右手の示指ＲＦ２〜小指ＲＦ５が並んで自然な状態で曲がるように、峰部１５ａと傾斜部１５ｂと溝部１５ｃとが緩やかに湾曲しながら端末本体１の前側に向けて指先上がり、つまり右上がりに傾斜する形状に形成されている。
【００３２】
これにより、第１の電池蓋１０が端末本体１に装着されたグリップ部１４は、図４（ａ）および図４（ｂ）に示すように、右手の母指ＲＦ１を端末本体１の表面のキー操作部５に被せ、端末本体１の脇側から延ばした右手の他の指ＲＦ２〜ＲＦ５で端末本体１の裏面を支えるような把握態様で保持した際に、第１の電池蓋１０の指掛部１５によって右手の示指ＲＦ２〜小指ＲＦ５が並んだ状態で自然に端末本体１の前側に向けて指先上がり、つまり右上がりに傾斜しながら曲がるように、ユーザの右手により把握可能に構成されている。
【００３３】
一方、第２の電池蓋１１は、図８（ａ）〜図８（ｃ）に示すように、左手の母指ＬＦ１を端末本体１の表面のキー操作部５上に配置させて、左手の他の指ＬＦ２〜ＬＦ５を第２の電池蓋１１の裏面に配置させた状態で、端末本体１のグリップ部１４を左手で保持する把握態様において、左手の示指ＬＦ２〜小指ＬＦ５が引っ掛かる指掛部１６が、左手の示指ＬＦ２〜小指ＬＦ５の付け根側から左手の示指ＬＦ２〜小指ＬＦ５の指先側に向けて緩やかに指先上がりに傾斜する形状に形成されている。
【００３４】
すなわち、この第２の電池蓋１１は、図８（ａ）〜図８（ｃ）に示すように、上述した把握態様において、左手の示指ＬＦ２〜小指ＬＦ５が引っ掛かる指掛部１６が、左手の示指ＬＦ２〜小指ＬＦ５の付け根側（図８（ａ）では右側）から左手の示指ＬＦ２〜小指ＬＦ５の指先側（図８（ａ）では左側）に亘って端末本体１の前後方向における前側、つまり第１の電池蓋１０の上辺側に向けて緩やかに指先上がり、つまり左上がりに傾斜する形状に形成されている。
【００３５】
この場合、第２の電池蓋１１の指掛部１６は、図８（ａ）〜図８（ｃ）に示すように、左手の示指ＬＦ２と左手の中指ＬＦ３との間に位置する峰部１６ａと、この峰部１６ａの上辺側に設けられて左手の示指ＬＦ２の腹が配置される傾斜部１６ｂと、峰部１６ａの下辺側に設けられて左手の中指ＬＦ３の腹が配置される溝部１６ｃと、左手の薬指ＬＦ４および小指ＬＦ５の各腹が配置される指載部１６ｄと、を備えている。なお、峰部１６ａには、第２の電池蓋１１を備える裏面を下にして端末本体１が机等の載置面上に載置された際に、端末本体１が転がってしまうことを防ぐための載置用突起１９が設けられている。
【００３６】
この第２の電池蓋１１の指掛部１６は、図８（ａ）〜図８（ｃ）に示すように、左手の母指ＬＦ１を端末本体１の表面のキー操作部５に被せ、左手の示指ＬＦ２〜小指ＬＦ５を第２の電池蓋１１の裏面に押し当てた際に、示指ＬＦ２〜小指ＬＦ５が並んで自然な状態で曲がるように、峰部１６ａと傾斜部１６ｂと溝部１６ｃとが緩やかに湾曲しながら端末本体１の前側に向けて指先上がり、つまり左上がりに傾斜する形状に形成されている。
【００３７】
これにより、第２の電池蓋１１が端末本体１に装着されたグリップ部１４は、図５（ａ）および図５（ｂ）に示すように、左手の母指ＬＦ１を端末本体１の表面のキー操作部５に被せ、端末本体１の脇側から延ばした左手の他の指ＬＦ２〜ＬＦ５で端末本体１の裏面を支えるような把握態様で保持した際に、第２の電池蓋１１の指掛部１６によって左手の示指ＬＦ２〜小指ＬＦ５が並んだ状態で自然に端末本体１の前側に向けて指先上がり、つまり左上がりに傾斜しながら曲がるように、ユーザの左手により把握可能に構成されている。
【００３８】
また、第１の電池蓋１０と第２の電池蓋１１とは、図７（ａ）および図９（ａ）に示すように、ユーザがグリップ部１４を上述した把握態様で把握する際に、保持手を自然に湾曲させて保持させるために、保持手の指がフィットする膨らみ部１７、１８の形状が異なっている。すなわち、第１の電池蓋１０と第２の電池蓋１１とは、膨らみ部１７、１８の形状が左右反対の形状で形成されている。
【００３９】
この場合、第１の電池蓋１０は、図６および図７に示すように、右手の母指ＲＦ１を端末本体１の表面のキー操作部５上に配置させて、右手の他の指ＲＦ２〜ＲＦ５を第１の電池蓋１０の裏面に配置させた状態で、端末本体１のグリップ部１４を右手で保持する把握態様において、右手の示指ＲＦ２〜小指ＲＦ５の付け根側（図７（ａ）では左側）の第１膨らみ部１７ａと、右手の示指ＲＦ２〜小指ＲＦ５の指先側（図７（ａ）では右側）の第２膨らみ部１７ｂとが、異なる曲率で湾曲した形状に形成されている。
【００４０】
すなわち、第１の電池蓋１０は、図７（ａ）に示すように、右手の示指ＲＦ２〜小指ＲＦ５の指先側（図７（ａ）では右側）の第２膨らみ部１７ｂの曲率が、右手の示指ＲＦ２〜小指ＲＦ５の付け根側（図７（ａ）では左側）の第１膨らみ部１７ａの曲率よりも大きい形状に形成されている。つまり、第１の電池蓋１０は、右手の示指ＲＦ２〜小指ＲＦ５の指先側の第２膨らみ部１７ｂの曲率半径が、右手の示指ＲＦ２〜小指ＲＦ５の付け根側の第１膨らみ部１７ａの曲率半径よりも小さい形状に形成されている。
【００４１】
このため、第１の電池蓋１０は、図７（ａ）に示すように、端末本体１のグリップ部１４をユーザが右手で保持する際に、右手の示指ＲＦ２〜小指ＲＦ５の各指先によって曲率の大きい第２膨らみ部１７ｂをしっかり押さえられるように構成されている。これにより、第１の電池蓋１０は、右手の示指ＲＦ２〜小指ＲＦ５の各指先によって右手の示指ＲＦ２〜小指ＲＦ５の付け根側が曲率の小さい第１膨らみ部１７ａに押し付けられることにより、グリップ部１４が右手で確実に保持されるように構成されている。
【００４２】
一方、第２の電池蓋１１は、図８および図９に示すように、左手の母指ＬＦ１を端末本体１の表面のキー操作部５上に配置させて、左手の他の指ＬＦ２〜ＬＦ５を第２の電池蓋１１の裏面に配置させた状態で、端末本体１のグリップ部１４を左手で保持する把握態様において、左手の示指ＬＦ２〜小指ＬＦ５の付け根側（図９（ａ）では右側）の第１膨らみ部１８ａと、左手の示指ＬＦ２〜小指ＬＦ５の指先側（図９（ａ）では左側）の第２膨らみ部１８ｂとが、異なる曲率で湾曲した形状に形成されている。
【００４３】
すなわち、第２の電池蓋１１は、図９（ａ）に示すように、左手の示指ＬＦ２〜小指ＬＦ５の指先側（図９（ａ）では左側）の第２膨らみ部１８ｂの曲率が、左手の示指ＬＦ２〜小指ＬＦ５の付け根側（図９（ａ）では右側）の第１膨らみ部１８ａの曲率よりも大きい形状に形成されている。つまり、第２の電池蓋１１は、左手の示指ＬＦ２〜小指ＬＦ５の指先側の第２膨らみ部１８ｂの曲率半径が、左手の示指ＬＦ２〜小指ＬＦ５の付け根側の第１膨らみ部１８ａの曲率半径よりも小さい形状に形成されている。
【００４４】
このため、第２の電池蓋１１は、図９（ａ）に示すように、端末本体１のグリップ部１４をユーザが左手で保持する際に、左手の示指ＬＦ２〜小指ＬＦ５の各指先によって曲率の大きい第２膨らみ部１８ｂをしっかり押さえられるように構成されている。これにより、第２の電池蓋１１は、左手の示指ＬＦ２〜小指ＬＦ５の各指先によって左手の示指ＬＦ２〜小指ＬＦ５の付け根側が曲率の小さい第１膨らみ部１８ａに押し付けられることにより、グリップ部１４が左手で確実に保持されるように構成されている。
【００４５】
さらに、第１の電池蓋１０と第２の電池蓋１１とは、図７（ｂ）および図９（ｂ）に示すように、ユーザが端末本体１のグリップ部１４を保持した際に、保持手の指の滑りを防ぐ滑止め部２０、２１が設けられている。この滑止め部２０、２１は、第１の電池蓋１０と第２の電池蓋１１との各裏面に設けられた凹凸部である。この場合、第１の電池蓋１０と第２の電池蓋１１とは、滑止め部２０、２１の各領域が異なっている。つまり、第１の電池蓋１０と第２の電池蓋１１との各滑止め部２０、２１は、左右反対の領域に設けられている。
【００４６】
すなわち、第１の電池蓋１０の滑止め部２０は、図７（ｂ）に示すように、右手の母指ＲＦ１を端末本体１の表面のキー操作部５上に配置させて、右手の他の指ＲＦ２〜ＲＦ５を第１の電池蓋１０の裏面に配置させた状態で、端末本体１を右手で保持する把握態様において、右手の示指ＲＦ２〜小指ＲＦ５の指先側の領域、つまり第１の電池蓋１０のほぼ右半分の領域に設けられている。
【００４７】
このため、第１の電池蓋１０は、図７（ｂ）に示すように、端末本体１のグリップ部１４をユーザが右手で保持した際に、右手の示指ＲＦ２〜小指ＲＦ５の各指先が滑止め部２０に押し当てられることにより、右手の示指ＲＦ２〜小指ＲＦ５の各指先が滑ることがなく、曲率の大きい第２膨らみ部１７ｂをしっかり押さえられるように構成されている。
【００４８】
この場合、第１の電池蓋１０は、図７（ｂ）に示すように、ほぼ左半分の領域に滑止め部２０が設けられていないため、右手の示指ＲＦ２〜小指ＲＦ５の各指先によって右手の示指ＲＦ２〜小指ＲＦ５の付け根側が曲率の小さい第１膨らみ部１７ａに押し付けられても、第１膨らみ部１７ａの摩擦抵抗が小さいことにより、右手の母指ＲＦ１でキー操作部５を操作する際に、母指ＲＦ１の可動性が良く、キー操作性の向上が図れるように構成されている。
【００４９】
一方、第２の電池蓋１１の滑止め部２１は、図９（ｂ）に示すように、左手の母指ＬＦ１を端末本体１の表面のキー操作部５上に配置させて、左手の他の指ＬＦ２〜ＬＦ５を第２の電池蓋１１の裏面に配置させた状態で、端末本体１のグリップ部１４を左手で保持する把握態様において、左手の示指ＬＦ２〜小指ＬＦ５の指先側の領域、つまり第２の電池蓋１１のほぼ左半分の領域に設けられている。
【００５０】
このため、第２の電池蓋１１は、図９（ｂ）に示すように、端末本体１のグリップ部１４をユーザが左手で保持した際に、左手の示指ＬＦ２〜小指ＬＦ５の各指先が滑止め部２１に押し当てられることにより、左手の示指ＬＦ２〜小指ＬＦ５の各指先が滑ることがなく、曲率の大きい第２膨らみ部１８ｂをしっかり押さえられるように構成されている。
【００５１】
この場合、第２の電池蓋１１は、図９（ｂ）に示すように、ほぼ右半分の領域に滑止め部２１が設けられていないため、左手の示指ＬＦ２〜小指ＬＦ５の各指先によって左手の示指ＬＦ２〜小指ＬＦ５の付け根側が曲率の小さい第１膨らみ部１８ａに押し付けられても、第１膨らみ部１８ａの摩擦抵抗が小さいことにより、左手の母指ＬＦ１でキー操作部５を操作する際に、母指ＬＦ１の可動性が良く、キー操作性の向上が図れるように構成されている。
【００５２】
次に、このような携帯端末の作用について説明する。
この携帯端末を右手で保持して使用する場合には、予め、端末本体１の電池収納部１２の電池挿脱口１２ａに第１の電池蓋１０を取り付ける。このときには、第１の電池蓋１０の支点突起部１０ａを電池収納部１２内の下辺部に係止させた状態で、支点突起部１０ａを支点として回転させて電池収納部１２を第１の電池蓋１０で塞ぐ。
【００５３】
この状態で、一対の取付レバー１３を回転操作させて第１の電池蓋１０の上辺部の縁部を一対の取付レバー１３で下部ケース３に係止させる。これにより、端末本体１に第１の電池蓋１０が装着される。この場合には、端末本体１のグリップ部１４が第１の電池蓋１０によって右利き用の形状をなす。すなわち、第１の電池蓋１０は、全体が裏面側に向けて湾曲状に膨らむ形状に形成され、指掛部１５が図６（ａ）に示すように第１の電池蓋１０の裏面において左側から右側の斜め上側に向けて緩やかに右上がりに傾斜している。
【００５４】
また、この場合には、図７（ａ）に示すように、第１の電池蓋１０の膨らみ部１７が、右手の示指ＲＦ２〜小指ＲＦ５の付け根側の第１膨らみ部１７ａと、右手の示指ＲＦ２〜小指ＲＦ５の指先側の第２膨らみ部１７ｂと、を有し、右手の示指ＲＦ２〜小指ＲＦ５の指先側の第２膨らみ部１７ｂの曲率が、右手の指の付け根側の第１膨らみ部１７ａの曲率よりも大きい形状に形成されている。さらに、この場合には、図７（ｂ）に示すように、第１の電池蓋１０の裏面に設けられた凹凸部である滑止め部２０が、第１の電池蓋１０のほぼ右半分の領域に設けられている。
【００５５】
このように第１の電池蓋１０が装着された端末本体１のグリップ部１４をユーザが右手で保持する場合には、右手の母指ＲＦ１を端末本体１の表面のキー操作部５に被せ、端末本体１の脇側から延ばした右手の他の指ＲＦ２〜ＲＦ５で端末本体１の裏面を支えるような把握態様で保持する。このときには、右手の示指ＲＦ２〜小指ＲＦ５が並んだ状態で自然に曲がるように、第１の電池蓋１０の指掛部１５に沿って配置される。
【００５６】
すなわち、右手の示指ＲＦ２〜小指ＲＦ５のうち、示指ＲＦ２と中指ＲＦ３との間に指掛部１５の峰部１５ａが配置され、この峰部１５ａの上辺側の傾斜部１５ｂに示指ＲＦ２の腹が配置され、峰部１５ａの下辺側の溝部１５ｃに中指ＲＦ３の腹が配置され、薬指ＲＦ４と小指ＲＦ５の各腹が指載部１５ｄに配置される。
【００５７】
これにより、右手の示指ＲＦ２〜小指ＲＦ５が並んだ状態で指掛部１５に沿って自然に端末本体１の前側に向けて指先上がり、つまり右上がりに傾斜しながら曲がって配置される。このため、グリップ部１４をユーザが右手で確実にかつ良好に保持することができるので、ホールド性が向上する。
【００５８】
また、この状態では、右手の示指ＲＦ２〜小指ＲＦ５の各指先側の第２膨らみ部１７ｂの曲率が、右手の示指ＲＦ２〜小指ＲＦ５の付け根側の第１膨らみ部１７ａの曲率よりも大きい形状に形成されているため、端末本体１のグリップ部１４をユーザが右手で保持する際に、右手の示指ＲＦ２〜小指ＲＦ５の各指先によって曲率の大きい第２膨らみ部１７ｂをしっかり押さえられる。
【００５９】
このため、右手の示指ＲＦ２〜小指ＲＦ５の各指先によって第２膨らみ部１７ｂがしっかり押さえられることにより、右手の示指ＲＦ２〜小指ＲＦ５の付け根側が曲率の小さい第１膨らみ部１７ａに良好に押し付けられる。これにより、グリップ部１４をユーザが右手で確実にかつ良好に保持することができるので、これによってもホールド性が向上する。
【００６０】
また、このときには、右手の示指ＲＦ２〜小指ＲＦ５の各指先側が第１の電池蓋１０のほぼ右半分の領域に設けられた滑止め部２０に押し当てられる。このため、右手の示指ＲＦ２〜小指ＲＦ５の各指先が滑止め部２０によって滑ることがないので、右手の示指ＲＦ２〜小指ＲＦ５の各指先によって第２膨らみ部１７ｂがしっかり押さえられることにより、これによってもホールド性が向上する。
【００６１】
この場合には、第１の電池蓋１０のほぼ左半分の領域に滑止め部２０が設けられていないため、右手の示指ＲＦ２〜小指ＲＦ５の各指先によって右手の示指ＲＦ２〜小指ＲＦ５の付け根側が曲率の小さい第１膨らみ部１７ａに押し付けられても、第１膨らみ部１７ａの摩擦抵抗が小さいので、右手の母指ＲＦ１によって端末本体１の表面のキー操作部５をキー操作する際に、右手の母指ＲＦ１の可動性が良く、右手の母指ＲＦ１を円滑に動かし易くなる。
【００６２】
このように、第１の電池蓋１０が装着された端末本体１のグリップ部１４をユーザが右手で保持した場合には、端末本体１の表面のキー操作部５に被せた右手の母指ＲＦ１が動かし易いので、右手の母指ＲＦ１によってキー操作部５を容易にかつ良好にキー操作することができ、これによりキー操作性の向上が図れる。このため、第１の電池蓋１０を端末本体１に装着した際には、右利き用に特化させることができる。
【００６３】
一方、この携帯端末を左手で保持して使用する場合には、予め、端末本体１の電池収納部１２の電池挿脱口１２ａに第２の電池蓋１１を取り付ける。このときには、第１の電池蓋１０と同様に、第２の電池蓋１１の支点突起部１１ａを電池収納部１２内の下辺部に係止させた状態で、支点突起部１１ａを支点として回転させて電池収納部１２を第２の電池蓋１１で塞ぐ。
【００６４】
この状態で、一対の取付レバー１３を回転操作させて第２の電池蓋１１の上辺部の縁部を一対の取付レバー１３で下部ケース３に係止させる。これにより、端末本体１に第２の電池蓋１１が装着される。この場合には、端末本体１のグリップ部１４が第２の電池蓋１１によって左利き用の形状をなす。すなわち、第２の電池蓋１１は、全体が裏面側に向けて湾曲状に膨らむ形状に形成され、指掛部１６が図８（ａ）に示すように第２の電池蓋１１の裏面において右側から左側の斜め上側に向けて緩やかに左上がりに傾斜している。
【００６５】
また、この場合には、図９（ａ）に示すように、第２の電池蓋１１の膨らみ部１８が、左手の示指ＬＦ２〜小指ＬＦ５の付け根側の第１膨らみ部１８ａと、左手の示指ＬＦ２〜小指ＬＦ５の指先側の第２膨らみ部１８ｂと、を有し、左手の示指ＬＦ２〜小指ＬＦ５の指先側の第２膨らみ部１８ｂの曲率が、左手の指の付け根側の第１膨らみ部１８ａの曲率よりも大きい形状に形成されている。さらに、この場合には、図９（ｂ）に示すように、第２の電池蓋１１の裏面に設けられた凹凸部である滑止め部２１が、第２の電池蓋１０のほぼ左半分の領域に設けられている。
【００６６】
このように第２の電池蓋１１が装着された端末本体１のグリップ部１４をユーザが左手で保持する場合には、左手の母指ＬＦ１を端末本体１の表面のキー操作部５に被せ、端末本体１の脇側から延ばした左手の他の指ＬＦ２〜ＬＦ５で端末本体１の裏面を支えるような把握態様で保持する。このときには、左手の示指ＬＦ２〜小指ＬＦ５が並んだ状態で自然に曲がるように、第２の電池蓋１１の指掛部１６に沿って配置される。
【００６７】
すなわち、左手の示指ＬＦ２〜小指ＬＦ５のうち、示指ＬＦ２と中指ＬＦ３との間に指掛部１６の峰部１６ａが配置され、この峰部１６ａの上辺側の傾斜部１６ｂに示指ＬＦ２の腹が配置され、峰部１６ａの下辺側の溝部１６ｃに中指ＬＦ３の腹が配置され、薬指ＬＦ４と小指ＬＦ５の各腹が指載部１６ｄに配置される。
【００６８】
これにより、左手の示指ＬＦ２〜小指ＬＦ５が並んだ状態で指掛部１６に沿って自然に端末本体１の前側に向けて指先上がり、つまり左上がりに傾斜しながら曲がって配置される。このため、グリップ部１４をユーザが左手で確実にかつ良好に保持することができるので、ホールド性が向上する。
【００６９】
また、この状態では、左手の示指ＬＦ２〜小指ＬＦ５の各指先側の第２膨らみ部１８ｂの曲率が、左手の示指ＬＦ２〜小指ＬＦ５の付け根側の第１膨らみ部１８ａの曲率よりも大きい形状に形成されているため、端末本体１のグリップ部１４をユーザが左手で保持した際に、左手の示指ＬＦ２〜小指ＬＦ５の各指先によって曲率の大きい第２膨らみ部１８ｂがしっかり押さえられる。
【００７０】
このため、左手の示指ＬＦ２〜小指ＬＦ５の各指先によって第２膨らみ部１８ｂがしっかり押さえられることにより、左手の示指ＬＦ２〜小指ＬＦ５の付け根側が曲率の小さい第１膨らみ部１８ａに良好に押し付けられる。これにより、グリップ部１４をユーザが左手で確実にかつ良好に保持することができるので、これによってもホールド性が向上する。
【００７１】
また、このときには、左手の示指ＬＦ２〜小指ＬＦ５の各指先側が第２の電池蓋１１のほぼ左半分の領域に設けられた滑止め部２１に押し当てられる。このため、左手の示指ＬＦ２〜小指ＬＦ５の各指先が滑止め部２１によって滑ることがないので、左手の示指ＬＦ２〜小指ＬＦ５の各指先によって第２膨らみ部１８ｂがしっかり押さえられることにより、これによってもホールド性が向上する。
【００７２】
この場合には、第２の電池蓋１１のほぼ右半分の領域に滑止め部２１が設けられていないため、左手の示指ＬＦ２〜小指ＬＦ５の各指先によって左手の示指ＬＦ２〜小指ＬＦ５の付け根側が曲率の小さい第１膨らみ部１８ａに押し付けられても、第１膨らみ部１８ａの摩擦抵抗が小さいので、左手の母指ＬＦ１によって端末本体１の表面のキー操作部５をキー操作する際に、左手の母指ＬＦ１の可動性が良く、左手の母指ＬＦ１を円滑に動かし易くなる。
【００７３】
このように、第２の電池蓋１１が装着された端末本体１のグリップ部１４をユーザが左手で保持した場合には、端末本体１の表面のキー操作部５に被せた左手の母指ＬＦ１が動かし易いので、左手の母指ＬＦ１によってキー操作部５を容易にかつ良好にキー操作することができ、これによりキー操作性の向上が図れる。このため、第２の電池蓋１１を端末本体１に装着した際には、左利き用に特化させることができる。
【００７４】
このように、この携帯端末によれば、表面にキー操作部５が設けられた端末本体１と、キー操作部５に対応する端末本体１の裏面に選択的に装着される複数の電池蓋と、を備え、複数の電池蓋は、端末本体１に選択されて装着された際に右利き用の形状をなす第１の電池蓋１０と、端末本体１に選択されて装着された際に左利き用の形状をなす第２の電池蓋１１と、を有していることにより、右手または左手のどちらか一方で端末本体１を保持した際におけるホールド性および操作性を向上させることができる。
【００７５】
すなわち、この携帯端末では、右利き用の形状をなす第１の電池蓋１０を端末本体１に装着することにより、右利き用に特化させることができるので、端末本体１を右手で確実に保持してキー操作部５を良好に操作することができる。また、左利き用の形状をなす第２の電池蓋１１を端末本体１に装着することにより、左利き用に特化させることができるので、端末本体１を左手で確実に保持してキー操作部５を良好に操作することができる。このため、右手または左手のいずれか一方で端末本体１を保持した際におけるホールド性および操作性を向上させることができる。
【００７６】
この場合、第１の電池蓋１０と第２の電池蓋１１とは、ユーザが端末本体１のグリップ部１４を保持した際に、保持手の指先が引っ掛かる指掛部１５、１６の形状が異なっていることにより、右手または左手のいずれか一方に特化させることができるので、これによっても右手または左手のいずれか一方で端末本体１のグリップ部１４を保持しても、端末本体１のホールド性および操作性を向上させることができる。
【００７７】
すなわち、第１の電池蓋１０と第２の電池蓋１１とは、保持手の指先が引っ掛かる指掛部１５、１６の形状が左右反対の形状に形成されていることにより、右手または左手のいずれかの利き手に特化させることができるので、右手または左手のいずれか一方で端末本体１のグリップ部１４を保持しても、端末本体１のホールド性および操作性を向上させることができる。
【００７８】
この場合、端末本体１に装着された第１の電池蓋１０は、右手の母指ＲＦ１を端末本体１の表面のキー操作部５上に配置させて、右手の他の指ＲＦ２〜ＲＦ５を端末本体１の裏面の第１の電池蓋１０に配置させた状態で、端末本体１のグリップ部１４を右手で保持する把握態様において、右手の示指ＲＦ２〜小指ＲＦ５が引っ掛かる指掛部１５が、右手の示指ＲＦ２〜小指ＲＦ５の付け根側から右手の示指ＲＦ２〜小指ＲＦ５の指先側に亘って端末本体１の前後方向における前側、つまり第１の電池蓋１０の上辺側に向けて緩やかに指先上がりに傾斜する形状に形成されていることにより、右利き用に特化させてグリップ部１４を右手で良好に保持することができる。
【００７９】
すなわち、この第１の電池蓋１０の指掛部１５は、右手の示指ＲＦ２と右手の中指ＲＦ３との間に位置する峰部１５ａと、この峰部１５ａの上辺側に設けられて右手の示指ＲＦ２の腹が配置される傾斜部１５ｂと、峰部１５ａの下辺側に設けられて右手の中指ＲＦ３の腹が配置される溝部１５ｃと、右手の薬指ＲＦ４および小指ＲＦ５の各腹が配置される指載部１５ｄと、を備えていることにより、第１の電池蓋１０の指掛部１５によって右手の示指ＲＦ２〜小指ＲＦ５が並んだ状態で自然に端末本体１の前側に向けて指先上がりに傾斜しながら曲がるように、右手の示指ＲＦ２〜小指ＲＦ５を第１の電池蓋１０の指掛部１５に沿って良好に配置させることができる。
【００８０】
この場合、第１の電池蓋１０の指掛部１５では、右手の母指ＲＦ１を端末本体１の表面のキー操作部５に被せ、端末本体１の脇側から延ばした右手の他の指ＲＦ２〜ＲＦ５で端末本体１の裏面を支えるよう保持した際に、右手の示指ＲＦ２〜小指ＲＦ５のうち、示指ＲＦ２と中指ＲＦ３との間に指掛部１５の峰部１５ａを配置させ、この峰部１５ａの上辺側の傾斜部１５ｂに示指ＲＦ２の腹を配置させ、峰部１５ａの下辺側の溝部１５ｃに中指ＲＦ３の腹を配置させ、薬指ＲＦ４と小指ＲＦ５の各腹を指載部１５ｄに配置させることができるので、右手の示指ＲＦ２〜小指ＲＦ５を第１の電池蓋１０の指掛部１５に沿って良好に配置させることができ、これにより右手に特化させることができる。
【００８１】
一方、端末本体１に装着された第２の電池蓋１１は、左手の母指ＬＦ１を端末本体１の表面のキー操作部５上に配置させて、左手の他の指ＬＦ２〜ＬＦ５を端末本体１の裏面の第２の電池蓋１１に配置させた状態で、端末本体１のグリップ部１４を左手で保持する把握態様において、左手の示指ＬＦ２〜小指ＬＦ５が引っ掛かる指掛部１６が、左手の示指ＬＦ２〜小指ＬＦ５の付け根側から左手の示指ＬＦ２〜小指ＬＦ５の指先側に亘って端末本体１の前後方向における前側、つまり第１の電池蓋１０の上辺側に向けて緩やかに指先上がりに傾斜する形状に形成されていることにより、左利き用に特化させてグリップ部１４を左手で良好に保持することができる。
【００８２】
すなわち、この第２の電池蓋１１の指掛部１６は、左手の示指ＬＦ２と左手の中指ＬＦ３との間に位置する峰部１６ａと、この峰部１６ａの上辺側に設けられて左手の示指ＬＦ２の腹が配置される傾斜部１６ｂと、峰部１６ａの下辺側に設けられて左手の中指ＬＦ３の腹が配置される溝部１６ｃと、左手の薬指ＬＦ４および小指ＬＦ５の各腹が配置される指載部１６ｄと、を備えていることにより、第２の電池蓋１１の指掛部１６によって左手の示指ＬＦ２〜小指ＬＦ５が並んだ状態で自然に端末本体１の前側に向けて指先上がりに傾斜しながら曲がるように、左手の示指ＬＦ２〜小指ＬＦ５を第２の電池蓋１１の指掛部１６に沿って良好に配置させることができる。
【００８３】
この場合、第２の電池蓋１１の指掛部１６では、左手の母指ＬＦ１を端末本体１の表面のキー操作部５に被せ、端末本体１の脇側から延ばした左手の他の指ＬＦ２〜ＬＦ５で端末本体１の裏面を支えるよう保持する際に、左手の示指ＬＦ２〜小指ＬＦ５のうち、示指ＬＦ２と中指ＬＦ３との間に指掛部１６の峰部１６ａを配置させ、この峰部１６ａの上辺側の傾斜部１６ｂに示指ＬＦ２の腹を配置させ、峰部１６ａの下辺側の溝部１６ｃに中指ＬＦ３の腹を配置させ、薬指ＬＦ４と小指ＬＦ５の各腹を指載部１６ｄに配置させることができるので、左手の示指ＬＦ２〜小指ＬＦ５を第２の電池蓋１１の指掛部１６に沿って良好に配置させることができ、これにより左手に特化させることができる。
【００８４】
また、第１の電池蓋１０と第２の電池蓋１１とは、ユーザが端末本体１のグリップ部１４を保持した際に、保持手の指をフィットさせる膨らみ部１７、１８の形状が異なっていることにより、これによっても右手または左手のいずれかの利き手に特化させることができるので、これによっても右手または左手のいずれか一方でグリップ部１４を保持した際におけるホールド性および操作性を向上させることができる。
【００８５】
すなわち、第１の電池蓋１０と第２の電池蓋１１とは、保持手の指をフィットさせる膨らみ部１７、１８の形状が左右反対の形状に形成されていることにより、右手または左手のいずれかの利き手に特化させることができるので、右手または左手のいずれか一方で端末本体１のグリップ部１４を保持しても、端末本体１のホールド性および操作性を向上させることができる。
【００８６】
この場合、端末本体１に装着された第１の電池蓋１０は、右手の母指ＲＦ１を端末本体１の表面のキー操作部５上に配置させて、右手の他の指ＲＦ２〜ＲＦ５を端末本体１の裏面の第１の電池蓋１０に配置させた状態で、端末本体１のグリップ部１４を右手で保持する把握態様において、右手の示指ＲＦ２〜小指ＲＦ５の指先側の第２膨らみ部１７ｂの曲率が、右手の示指ＲＦ２〜小指ＲＦ５の付け根側の第１膨らみ部１７ａの曲率よりも大きい形状に形成されていることにより、右利き用に特化させて端末本体１のグリップ部１４を右手で良好に保持して操作することができる。
【００８７】
すなわち、この第１の電池蓋１０では、右手の示指ＲＦ２〜小指ＲＦ５の指先側の第２膨らみ部１７ｂの曲率が、右手の示指ＲＦ２〜小指ＲＦ５の付け根側の第１膨らみ部１７ａの曲率よりも大きい形状に形成されていることにより、端末本体１のグリップ部１４をユーザが右手で保持する際に、右手の示指ＲＦ２〜小指ＲＦ５の各指先によって曲率の大きい第２膨らみ部１７ｂをしっかり押さえることができる。
【００８８】
このため、この第１の電池蓋１０では、右手の示指ＲＦ２〜小指ＲＦ５の各指先によって第２膨らみ部１７ｂがしっかり押さえられることにより、右手の示指ＲＦ２〜小指ＲＦ５の付け根側を曲率の小さい第１膨らみ部１７ａに確実にかつ良好に押し付けることができ、これによりグリップ部１４をユーザが右手で確実にかつ良好に保持することができるので、これによってもホールド性を向上させることができる。
【００８９】
一方、端末本体１に装着された第２の電池蓋１１は、左手の母指ＬＦ１を端末本体１の表面のキー操作部５上に配置させて、左手の他の指ＬＦ２〜ＬＦ５を端末本体１の裏面の第２の電池蓋１１に配置させた状態で、端末本体１のグリップ部１４を左手で保持する把握態様において、左手の示指ＬＦ２〜小指ＬＦ５の指先側の第２膨らみ部１８ｂの曲率が、左手の示指ＬＦ２〜小指ＬＦ５の付け根側の第１膨らみ部１８ａの曲率よりも大きい形状に形成されていることにより、左利き用に特化させて端末本体１のグリップ部１４を左手で良好に保持して操作することができる。
【００９０】
すなわち、この第２の電池蓋１１では、左手の示指ＬＦ２〜小指ＬＦ５の指先側の第２膨らみ部１８ｂの曲率が、左手の示指ＬＦ２〜小指ＬＦ５の付け根側の第１膨らみ部１８ａの曲率よりも大きい形状に形成されていることにより、端末本体１のグリップ部１４をユーザが左手で保持する際に、左手の示指ＬＦ２〜小指ＬＦ５の各指先によって曲率の大きい第２膨らみ部１８ｂをしっかり押さえることができる。
【００９１】
このため、この第２の電池蓋１１では、左手の示指ＬＦ２〜小指ＬＦ５の各指先によって第２膨らみ部１８ｂがしっかり押さえられることにより、左手の示指ＬＦ２〜小指ＬＦ５の付け根側を曲率の小さい第１膨らみ部１８ａに確実にかつ良好に押し付けることができ、これによりグリップ部１４をユーザが左手で確実にかつ良好に保持することができるので、これによってもホールド性を向上させることができる。
【００９２】
また、第１の電池蓋１０と第２の電池蓋１１とは、ユーザが端末本体１のグリップ部１４を保持した際に、保持手の指の滑りを防ぐ滑止め部２０、２１の領域が異なっていることにより、右手または左手のいずれかの利き手に特化させて端末本体１のグリップ部１４を良好に保持することができるので、これによっても右手または左手のいずれか一方で端末本体１のグリップ部１４を保持しても、端末本体１のホールド性および操作性を向上させることができる。
【００９３】
すなわち、第１の電池蓋１０と第２の電池蓋１１とは、保持手の指の滑りを防ぐ滑止め部２０、２１の領域が左右反対の領域に設けられていることにより、右手または左手のいずれか一方に特化させて端末本体１のグリップ部１４を良好に保持することができ、これによっても右手または左手のいずれか一方で端末本体１のグリップ部１４を保持しても、端末本体１のホールド性および操作性を向上させることができる。
【００９４】
この場合、第１の電池蓋１０の滑止め部２０は、右手の母指ＲＦ１を端末本体１の表面のキー操作部５上に配置させて、右手の他の指ＲＦ２〜ＲＦ５を第１の電池蓋１０に配置させた状態で、端末本体１のグリップ部１４を右手で保持する把握態様において、右手の示指ＲＦ２〜小指ＲＦ５の指先側の領域、つまり第１の電池蓋１０のほぼ右半分の領域に設けられていることにより、端末本体１のグリップ部１４を右手で保持する際に、右手の示指ＲＦ２〜小指ＲＦ５の各指先側を滑止め部２０に押し当てることができる。
【００９５】
このため、第１の電池蓋１０では、右手の示指ＲＦ２〜小指ＲＦ５の各指先が滑止め部２０によって滑ることがないので、右手の示指ＲＦ２〜小指ＲＦ５の各指先によって曲率の大きい第２膨らみ部１７ｂをしっかり押さえることができ、これによってもホールド性を向上させることができる。
【００９６】
この場合、この第１の電池蓋１０では、ほぼ左半分の領域に滑止め部２０が設けられていないため、右手の示指ＲＦ２〜小指ＲＦ５の各指先によって右手の示指ＲＦ２〜小指ＲＦ５の付け根側が曲率の小さい第１膨らみ部１７ａに押し付けられても、第１膨らみ部１７ａの摩擦抵抗が小さいので、右手の母指ＲＦ１で端末本体１の表面のキー操作部５をキー操作する際に、右手の母指ＲＦ１の可動性が良く、右手の母指ＲＦ１を円滑にかつ良好に動かし易くなる。
【００９７】
これにより、この第１の電池蓋１０では、端末本体１のグリップ部１４をユーザが右手で保持した状態で、端末本体１の表面のキー操作部５に被せた右手の母指ＲＦ１を円滑に動かすことができるので、右手の母指ＲＦ１によってキー操作部５を容易にかつ良好にキー操作することができ、これによりキー操作性を向上させることができる。
【００９８】
一方、第２の電池蓋１１の滑止め部２１は、左手の母指ＬＦ１を端末本体１の表面のキー操作部５上に配置させて、左手の他の指ＬＦ２〜ＬＦ５を第２の電池蓋１１に配置させた状態で、端末本体１のグリップ部１４を左手で保持する把握態様において、左手の示指ＬＦ２〜小指ＬＦ５の指先側の領域、つまり第２の電池蓋１１のほぼ左半分の領域に設けられていることにより、端末本体１のグリップ部１４を左手で保持する際に、左手の示指ＬＦ２〜小指ＬＦ５の各指先側を滑止め部２１に押し当てることができる。
【００９９】
このため、第２の電池蓋１１では、左手の示指ＬＦ２〜小指ＬＦ５の各指先が滑止め部２１によって滑ることがないので、左手の示指ＬＦ２〜小指ＬＦ５の各指先によって曲率の大きい第２膨らみ部１８ｂをしっかり押さえることができ、これによってもホールド性を向上させることができる。
【０１００】
この場合、この第２の電池蓋１１では、ほぼ右半分の領域に滑止め部２１が設けられていないため、左手の示指ＬＦ２〜小指ＬＦ５の各指先によって左手の示指ＬＦ２〜小指ＬＦ５の付け根側が曲率の小さい第１膨らみ部１８ａに押し付けられても、第１膨らみ部１８ａの摩擦抵抗が小さいので、左手の母指ＬＦ１で端末本体１の表面のキー操作部５をキー操作する際に、左手の母指ＬＦ１の可動性が良く、左手の母指ＬＦ１を円滑にかつ良好に動かし易くなる。
【０１０１】
これにより、この第２の電池蓋１１では、端末本体１のグリップ部１４をユーザが左手で保持した状態で、端末本体１の表面のキー操作部５に被せた左手の母指ＬＦ１を円滑に動かすことができるので、左手の母指ＬＦ１によってキー操作部５を容易にかつ良好にキー操作することができ、これによりキー操作性を向上させることができる。
【０１０２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０３】
（付記）
請求項１に記載の発明は、表面に操作部が設けられた端末本体と、前記操作部に対応する前記端末本体の裏面に選択的に装着される複数の電池蓋と、を備え、前記複数の電池蓋は、前記端末本体に選択されて装着された際に右利き用の形状をなす第１の電池蓋と、前記端末本体に選択されて装着された際に左利き用の形状をなす第２の電池蓋と、を有していることを特徴とする携帯端末である。
【０１０４】
請求項２に記載の発明は、請求項１に記載の携帯端末において、前記第１の電池蓋と前記第２の電池蓋とは、ユーザが前記端末本体を保持手で保持した際に、前記保持手の指先が引っ掛かる指掛部の形状が異なっていることを特徴とする携帯端末である。
【０１０５】
請求項３に記載の発明は、請求項２に記載の携帯端末において、前記端末本体に装着された前記第１の電池蓋は、右手の母指を前記操作部上に配置させて、右手の他の指を前記第１の電池蓋に配置させた状態で、前記端末本体を右手で保持する把握態様において、右手の前記他の指が引っ掛かる前記指掛部が、右手の前記他の指の付け根側から右手の前記他の指の指先側に亘って前記端末本体の前後方向における前側に向けて指先上がりに傾斜する形状に形成されており、前記端末本体に装着された前記第２の電池蓋は、左手の母指を前記操作部上に配置させて、左手の他の指を前記第２の電池蓋に配置させた状態で、前記端末本体を左手で保持する把握態様において、左手の前記他の指が引っ掛かる前記指掛部が、左手の前記他の指の付け根側から左手の前記他の指の指先側に亘って前記端末本体の前後方向における前側に向けて指先上がりに傾斜する形状に形成されていることを特徴とする携帯端末である。
【０１０６】
請求項４に記載の発明は、請求項１〜請求項３のいずかれに記載の携帯端末において、前記第１の電池蓋と前記第２の電池蓋とは、ユーザが前記端末本体を保持手で保持した際に、前記保持手の指をフィットさせる膨らみ部の形状が異なっていることを特徴とする携帯端末である。
【０１０７】
請求項５に記載の発明は、請求項４に記載の携帯端末において、前記端末本体に装着された前記第１の電池蓋は、右手の母指を前記操作部上に配置させて、右手の他の指を前記第１の電池蓋に配置させた状態で、前記端末本体を右手で保持する把握態様において、右手の前記他の指の指先側の膨らみ部の曲率が、右手の前記他の指の付け根側の膨らみ部の曲率よりも大きい形状に形成されており、前記端末本体に装着された前記第２の電池蓋は、左手の母指を前記操作部上に配置させて、左手の他の指を前記第２の電池蓋に配置させた状態で、前記端末本体を左手で保持する把握態様において、左手の前記他の指の指先側の膨らみ部の曲率が、左手の前記他の指の付け根側の膨らみ部の曲率よりも大きい形状に形成されていることを特徴とする携帯端末である。
【０１０８】
請求項６に記載の発明は、請求項１〜請求項５のいずかれに記載の携帯端末において、前記第１の電池蓋と前記第２の電池蓋とは、ユーザが前記端末本体を保持手で保持した際に、前記保持手の指の滑りを防ぐ滑止め部の領域が異なっていることを特徴とする携帯端末である。
【０１０９】
請求項７に記載の発明は、請求項６に記載の携帯端末において、前記端末本体に装着された前記第１の電池蓋の前記滑止め部は、右手の母指を前記操作部上に配置させて、右手の他の指を前記第１の電池蓋に配置させた状態で、前記端末本体を右手で保持する把握態様において、右手の前記他の指の指先側の領域に設けられており、前記端末本体に装着された前記第２の電池蓋の前記滑止め部は、左手の母指を前記操作部上に配置させて、左手の他の指を前記第２の電池蓋に配置させた状態で、前記端末本体を左手で保持する把握態様において、左手の前記他の指の指先側の領域に設けられていることを特徴とする携帯端末である。
【符号の説明】
【０１１０】
１  端末本体
２  上部ケース
３  下部ケース
４  表示部
５  キー操作部
６  光学読取部
１０  第１の電池蓋
１１  第２の電池蓋
１２  電池収納部
１４  グリップ部
１５、１６  指掛部
１５ａ、１６ａ  峰部
１５ｂ、１６ｂ  傾斜部
１５ｃ、１６ｃ  溝部
１５ｄ、１６ｄ  指載部
１７、１８  膨らみ部
１７ａ、１８ａ  第１膨らみ部
１７ｂ、１８ｂ  第２膨らみ部
２０、２１  滑止め部
ＲＦ１、ＬＦ１  母指
ＲＦ２〜ＲＦ５、ＬＦ２〜ＬＦ５  示指〜小指
【図１】
2019193157.tif 000003
【図２】
2019193157.tif 000004
【図３】
2019193157.tif 000005
【図４】
2019193157.tif 000006
【図５】
2019193157.tif 000007
【図６】
2019193157.tif 000008
【図７】
2019193157.tif 000009
【図８】
2019193157.tif 000010
【図９】
2019193157.tif 000011